(57)【要約】【課題】この発明は、エレベータの監視制御装置が故障した場合でも、セキュリティが高く、ビル全体のサービスの悪化を防ぐことができるエレベータの監視制御装置システムを提供することを目的とする。【解決手段】エレベータの運行制御に関する情報を発するための監視制御装置３から入力される動作信号の有無を監視する信号監視手段７、運行制御に関する情報を記憶する制御情報記憶手段８、及び運行制御指令に応じてエレベータの運行を制御する運行制御手段１０を備え、信号監視手段７によって上記動作信号の無入力状態が検出されたとき、運行制御手段１０は制御情報記憶手段８に記憶された情報に基づいてエレベータの運行を制御する。【選択図】図１
2006021907.tif 000002
【特許請求の範囲】
【請求項１】
エレベータの運行制御に関する情報を発するための監視制御装置から入力される動作信号の有無を監視する信号監視手段、
上記運行制御に関する情報を記憶する制御情報記憶手段、及び
上記運行制御指令に応じてエレベータの運行を制御する運行制御手段
を備え、
上記信号監視手段によって上記動作信号の無入力状態が検出されたとき、上記運行制御手段は、上記制御情報記憶手段に記憶された情報に基づいてエレベータの運行を制御することを特徴とする監視制御システム。
【請求項２】
上記動作信号の無入力状態が所定時間経過した場合に、上記制御情報記憶手段で記憶した上記運行制御に関する情報を無効にし、
上記運行制御手段は、エレベータの操作装置の操作に応じてエレベータの運行を制御することを特徴とする請求項１に記載の監視制御システム。
【請求項３】
上記所定時間は、上記運行制御に関する情報によって設定されることを特徴とする請求項２に記載の監視制御システム。
【請求項４】
上記所定時間は、上記監視制御装置に記憶されている上記運行制御指令の選択時刻に応じる上記運行制御に関する情報によって設定されることを特徴とする請求項２に記載の監視制御システム。
【発明の詳細な説明】
【技術分野】
【０００１】
この発明は、エレベータの運行を制御する運行制御装置と、運行制御装置に対して運行制御指令を出力する監視制御装置とを含む監視制御システムに関するものである。
【背景技術】
【０００２】
近年、複数台のエレベータの監視制御をするためにＣＲＴ表示装置とキーボードとを有する監視制御装置や、パソコンを用いた監視制御装置が普及してきている。しかし、監視制御装置が故障した場合や、監視制御装置の仕様変更やメンテナンス等によって監視制御装置を一時的に止める場合も、監視制御装置からの制御ができなくなっていた。
【０００３】
また、監視制御装置が故障した場合に監視制御装置による運行パターンの選択指令を解除し、制御装置内部に持っている時計に従って予め設定された選択時刻によって運行パターンを選択し、選択された運行パターンによってエレベータの運行制御が行われるという対策がとられている（例えば、特許文献１参照）。
【０００４】
【特許文献１】特開平３−２５９８８４号公報
【発明の開示】
【発明が解決しようとする課題】
【０００５】
上記のような従来の監視制御システムでは、制御装置内部で予め設定された選択時刻と、監視制御装置で設定した選択時刻とが違うことでサービスの不一致が生じる場合があった。
【０００６】
この発明は、上記のような問題を解決することを課題としてなされてものであり、その目的は、監視制御装置の動作が万一停止することがあっても、セキュリティ機能を継続し、ビル全体のサービスの低下を抑えることができるエレベータの監視制御装置システムを提供するものである。
【課題を解決するための手段】
【０００７】
この発明に係る監視制御システムは、かごの運行制御に関する情報を発するための監視制御装置から入力される動作信号の有無を監視する信号監視手段、運行制御に関する情報を記憶する情報記憶手段、及び運行制御指令に応じてエレベータの運行を制御する運行制御手段を備え、信号監視手段によって動作信号の無入力状態が検出されたとき、運行制御手段は情報記憶手段に記憶された情報に基づいてエレベータの運行を制御する。
【発明の効果】
【０００８】
この発明は、エレベータの監視制御装置の動作が万一停止することがあっても、監視制御装置の動作が停止する直前まで行っていた制御を継続することができるので、サービス切り放し等のセキュリティ機能や、出勤時運転指令等の混雑時運転制御指令の機能を継続することができ、従ってビル全体のサービスの低下を抑えることができる。
【発明を実施するための最良の形態】
【０００９】
以下、この発明を実現するための最良の形態について、図面を参照して説明する。
実施の形態１．
図１は、この発明の一実施形態による監視制御システムを示すブロック図である。図において、かご１は、建物内の昇降路内に設けられている。また、かご１は、図示しない駆動装置によって昇降路内を昇降される。かご１内及び各階の乗場には、呼びを登録するための操作装置１１が設けられている。操作装置１１には、かご１内に設けられている呼び登録釦及び建物内の各階の乗場に設けられている乗場釦が含まれる。
【００１０】
かご１は、通常、操作装置１１の操作に応じて運行される。かご１の運行は、監視制御システム２によって監視され、制御されている。監視制御システム２は、運行制御装置４と監視制御装置３とを有している。
【００１１】
運行制御装置４は、機械室や昇降路内等に設けられている制御盤である。また、運行制御装置４は、駆動装置を制御することでかご１の運行を制御している。さらに、運行制御装置４は、操作装置１１の操作を監視している。そして、運行制御装置４は、操作装置１１の操作に基づいてかご１の運行を制御することができる。
【００１２】
監視制御装置３は、建物内のエレベータ監視制御室等に設けられ、複数台のエレベータの監視制御を行う。また、監視制御装置３としては、ＣＲＴ表示装置とキーボードとを有するもの、またはパーソナルコンピュータが用いられる。また、監視制御装置３は、運行制御装置４の動作を監視することでかご１の運行を監視している。また、監視制御装置３は、運行制御に関する情報である運行制御指令を作成し運行制御装置４に対して出力する。運行制御指令は、運行制御装置４に対する上位の制御指令であり、運行制御指令を受けているときには、運行制御装置４はその運行制御指令に基づいてかご１を制御する。
【００１３】
監視制御装置３が出力する運行制御指令としては、例えば、出勤時運転選択指令及び退勤時運転選択指令等の混雑時間運転制御指令、サービス切り放し指令、休止指令、並びに制御解除指令等がある。混雑時間運転制御指令は、例えば出勤時等にかご１の需要が１階に集中するときに、かご１を優先的に１階に案内する等の制御を行う指令である。サービス切り放し指令は、例えば２階にはかご１を案内させない等の制御を行うセキュリティ指令である。休止指令は、かご１の運行を休止する制御を行う指令である。制御解除指令は、上述したような運行制御指令による制御を解除して、操作装置１１の操作に応じてかご１を運行させる指令である。
【００１４】
監視制御装置３は、監視制御手段５、及び第１通信制御装置６ａを有している。監視制御手段５は、エレベータの運行を監視して運行制御指令を発する。第１通信制御装置６ａは、動作信号及び運行制御指令を運行制御装置４に送信する。また、監視制御装置３が正常に動作しているときには、監視制御装置３から動作信号が発せられる。動作信号は、一定周期（例えば１０秒毎）に発せられる。
【００１５】
運行制御装置４は、第２通信制御装置６ｂ、信号監視手段７、制御情報記憶手段８、制御指令作成手段９、及び運行制御手段１０を有している。第２通信制御装置６ｂは、監視制御装置３からの動作信号及び運行制御指令を受信する。信号監視手段７は、監視制御手段５から入力される動作信号の有無を監視する。そして、信号監視手段７は、動作信号の無入力が所定時間以上経過した場合に無入力検出信号を発する。ここで所定時間は、例えば動作信号が発せられる周期に対して、２周期や３周期等と設定することができる。制御指令作成手段９は、運行制御指令を受け取る。また、制御指令作成手段９は、無入力検出信号の有無を監視して記憶指令及び呼び出し指令を発する。記憶指令は、制御指令作成手段９が、運行制御に関する情報を受信し、さらに無入力検出信号を検出しないとき（無入力検出信号が未検出のとき）に発せられる。呼び出し指令は、無入力検出信号が検出されたときに発せられる。
【００１６】
制御情報記憶手段８には、記憶指令に応じて運行制御指令に関する情報が記憶される。また、制御情報記憶手段８に記憶された運行制御指令に関する情報は、呼び出し指令に応じて制御指令作成手段９に呼び出される。
【００１７】
運行制御手段１０は、操作装置１１の操作を監視している。これによって、運行制御手段１０は、操作装置１１の操作に基づいてかご１の運行を制御する。また、運行制御手段１０は、運行制御指令を受けたときには運行制御指令に基づいてかご１の運行を制御する。
【００１８】
次に、動作について説明を行う。運行制御指令が無いときには、運行制御手段１０は、操作装置１１の操作に応じてかご１の運行制御を行っている。
【００１９】
それに対して、監視制御手段５によって運行制御指令が発せられているときについての説明を行う。ここで図２は、図１の制御指令作成手段９の動作を示すフローチャートである。図のように、制御指令作成手段９によって無入力検出信号の有無が監視されている（ステップＳ１１）。ここで、監視制御手段５が正常に動作していれば、動作信号が信号監視手段７に届けられ、運行制御指令が制御指令作成手段９に届けられる。
【００２０】
そして、信号監視手段７に動作信号が届いているときには、無入力信号が発せられない。従って、制御指令作成手段９によって記憶指令が発せられ、運行制御指令が制御情報記憶手段８に記憶される（ステップＳ１２）。また、制御指令作成手段９によって運行制御手段１０に運行制御指令が入力され、入力された運行制御指令に基づいて運行制御手段１０がかご１の運行制御を行う（ステップＳ１３）。
【００２１】
これに対して、監視制御装置３が故障したときや、監視制御装置３のメンテナンスが行われているときには、監視制御装置３の動作が停止してしまう。これによって、運行制御装置４に対して、動作信号及び運行制御指令が入力されなくなってしまう。従って、信号監視手段７によって、運行制御指令の無入力状態が検出され、無入力検出信号が発せられる。このとき、制御指令作成手段９によって、無入力検出信号が検出され、呼び出し指令が制御情報記憶手段８に送られ、呼び出し指令によって制御情報記憶手段８に記憶されていた運行制御指令が制御指令作成手段９に届けられる。これによって、記憶されていた運行制御指令に基づいて運行制御手段１０がかご１の運行制御を行う（ステップＳ１４）。そして、制御指令作成手段９は上述の動作を繰り返し行う。
【００２２】
このような監視制御システム２では、監視制御装置３が故障した場合でも運行制御指令を指令毎に記憶し、監視制御装置３の動作が停止する直前まで行われていた制御を継続することができるので、サービス切り放し等のセキュリティ機能を継続することができる。
【００２３】
また、監視制御装置３の動作が停止した場合にでも、記憶した運行制御指令を用いるので、出勤時運転指令等の混雑時間運転制御指令が継続でき、ビル全体のサービスの低下を抑えることができる。
【００２４】
さらに、記憶した運行制御指令を用いるので、監視制御装置３の時刻動作と制御盤に予め設定された時刻動作とが違うことから生じるサービスの不一致を防ぐことができる。
【００２５】
実施の形態２．
図３は、この発明の一実施形態による監視制御システム２を示すブロック図である。図のように、運行制御装置４には、時計１２が内蔵されている。制御指令作成手段９では、時計１２を用いることによって、無入力検出信号の受信継続時間が監視されている。運行制御装置４は、受信継続時間が所定時間経過したときに制御情報記憶手段８に記憶した運行制御に関する情報を無効にする。ここで所定時間は、予め運行制御装置４内に設定されている。
【００２６】
実施の形態２で、監視制御装置３が発する運行制御に関する情報は運行制御指令である。従って、記憶されている情報が無効にされることで、記憶されていた運行制御指令によるかご１の運行制御が解除され、運行制御手段１０は操作装置の操作に応じてエレベータの運行を制御する。その他の構成は実施の形態１と同様である。
【００２７】
次に、動作についての説明を行う。図４は、図３の制御指令作成手段９の動作を示すフローチャートである。図において、運行制御装置４に対して運行制御指令が入力されていないときの動作は実施の形態１と同様である。また、運行制御装置４に対して運行制御指令が入力されているときの動作についても実施の形態１と同様である（ステップＳ１１乃至ステップＳ１３）。
【００２８】
次に、監視制御装置３の動作が何らかの原因で停止したときについて説明を行う。監視制御装置３の動作が停止すると、信号監視手段７によって、動作信号の入力が無くなったことが検出され、運行制御装置４に対して無入力検出信号が送られる。このとき、制御指令作成手段９では、時計１２を用いることによって、無入力検出信号の受信継続時間が監視されている（ステップＳ２１）。
【００２９】
ここで、無入力検出信号の受信継続時間が所定時間経過していなければ、実施の形態１と同様に制御情報記憶手段８に記憶されていた運行制御指令に基づいて、運行制御手段１０がかご１の運行制御を行う（ステップＳ１４）。
【００３０】
これに対し、無入力検出信号の受信継続時間が所定時間経過しているときには、制御情報記憶手段８に記憶されていた運行制御指令によるかご１の運行制御が解除され、操作装置１１の操作のみに応じて運行制御手段１０がかご１の運行制御を行う（ステップＳ２２）。そして、制御指令作成手段９は上述の動作を繰り返し行う。
【００３１】
このような監視制御システム２では、実施の形態１の効果に加え、監視制御装置３の動作停止が長時間に及んだ場合にでも制御情報記憶手段８で記憶していた運行制御指令が無効となるので、制御が必要以上に長引くことを防止でき、従ってより運行効率の良いサービスを提供することができる。
【００３２】
実施の形態３．
この発明の一実施形態による監視制御システム２を示すブロック図は、実施の形態２と同様に図３を用いる。ここで、実施の形態２との差異を説明する。図において、監視制御装置３は、運行制御に関する情報を運行制御装置４に対して発する。運行制御に関する情報には、運行制御指令と無入力時間情報とがある。運行制御指令は実施の形態２と同様である。無入力時間情報は、動作信号が運行制御装置に対して無入力状態になる時間についての情報である。
【００３３】
制御指令作成手段９では、時計１２を用いることによって、無入力検出信号の受信継続時間が監視されている。制御指令作成手段９は、無入力検出信号の受信継続時間が所定時間経過したときに、制御情報記憶手段８に記憶した運行制御に関する情報を無効にする。ここで所定時間は、無入力時間情報に基づいて運行制御装置４内に設定される。そして、記憶されている情報が無効にされることで、記憶されていた運行制御指令によるかご１の運行制御が解除されることになる。その他の構成は実施の形態２と同様である。
【００３４】
次に、動作についての説明を行う。図５は、実施の形態３における図３の制御指令作成手段９の動作を示すフローチャートである。図において、運行制御装置４に対して運行制御指令が入力されていないときの動作は実施の形態２と同様である。また、実施の形態２と同様に信号監視手段７によって監視制御手段５から入力される運行制御指令に関する情報の有無が監視され、制御指令作成手段９によって無入力検出信号の有無が監視されている（ステップＳ１１）。次に、制御指令作成手段９によって運行制御に関する情報が運行制御指令であるかどうかが監視されている（ステップＳ３１）。
【００３５】
そして、運行制御装置４に対して、動作信号と運行制御指令とが入力されているときの動作は実施の形態２と同様である（ステップＳ１２及びステップＳ１３）。これに対して、運行制御に関する情報が無入力時間情報であるときは、無入力時間情報に応じて制御指令作成手段９が記憶指令を発し、記憶指令によって無入力時間情報が制御情報記憶手段８に記憶され、記憶された無入力時間情報に基づいて、制御指令作成手段９におけるかご１の運行制御に関する情報を無効にする所定時間が設定される（ステップＳ３２）。
【００３６】
次に、監視制御装置３の動作が何らかの原因で停止したときについて説明を行う。監視制御装置３の動作が停止すると、信号監視手段７によって、動作信号の入力が無くなったことが検出され、運行制御装置４に対して無入力検出信号が送信される。このとき、実施の形態２と同様に、制御指令作成手段９によって、無入力検出信号の受信継続時間が監視され、無入力検出信号の受信継続時間が所定時間経過したかどうかが判断される（ステップＳ２１）。また、その後の動作についても実施の形態２と同様である（ステップＳ１４及びステップＳ２２）。そして、制御指令作成手段９は上述の動作を繰り返し行う。
【００３７】
このような監視制御システム２では、実施の形態２の効果に加えて、運行制御に関する情報によって、制御情報記憶手段８に記憶されている情報を無効にするまでの所定時間が設定できるので、記憶されていた運行制御指令による運行制御が解除されるまでの時間がより正確にでき、さらにより運行効率の良いサービスを提供することができる。
【００３８】
実施の形態４．
この発明の一実施形態による監視制御システム２を示すブロック図は、実施の形態２と同様に図３を用いる。ここで、実施の形態２との差異を説明する。図において、監視制御装置３には、運行制御に関する情報をどの時刻に発するかという選択時刻が記憶されている。実施の形態４においては、その選択時刻が運行制御指令の有効期間として用いられる（例えば、８時に出勤時運転選択指令が発せられ、１０時に次の運行制御指令である制御解除指令が発せられると設定されているような場合には、出勤時運転選択指令の有効期間は８時００分から１０時００分となる）。
【００３９】
実施の形態４では、監視制御装置３が発する運行制御に関する情報は有効期間付運行制御指令である。有効期間付運行制御指令とは、運行制御指令の有効期間情報と運行制御指令とからなる指令で、有効期間情報が運行制御指令毎に添付されているものである。制御指令作成手段９では、時計１２を用いることによって、時刻が監視されている。時刻と添付された有効期間情報とに応じて運行制御指令が無効にされる。その他の構成については実施の形態２と同様である。
【００４０】
次に、動作について説明を行う。図６は、実施の形態４における図３の制御指令作成手段９の動作を示すフローチャートである。図において、運行制御装置４に対して運行制御指令が入力されていないときの動作は実施の形態２と同様である。また、実施の形態２と同様に信号監視手段７によって動作信号の有無が監視され、制御指令作成手段９によって無入力検出信号の有無が監視されている（ステップＳ１１）。監視制御装置３が正常動作を行っているとき、運行制御装置４に対して動作信号と有効期間付運行制御指令（例えば、出勤時運転指令：８時００分から１０時００分）とが入力される。動作信号に関する運行制御装置４の動作は実施の形態２と同様である。
【００４１】
そして、運行制御装置４に有効期間付運行制御指令が入力されると、有効期間付運行制御指令に応じて制御指令作成手段９が記憶指令を発し、記憶指令に応じて有効期間付運行制御指令が制御情報記憶手段８に記憶される（ステップＳ４１）。また、受信した運行制御指令に基づき運行制御手段１０がかご１の運行制御を行う（ステップＳ４２）。
【００４２】
次に、監視制御装置３の動作が何らかの原因で停止したときについて説明を行う。監視制御装置３の動作が停止すると、信号監視手段７によって、動作信号の入力が無くなったことが検出され、運行制御装置４に対して無入力検出信号が送信される。制御指令作成手段９において無入力検出信号が検出されると、記憶されていた運行制御指令が有効期間内であるかどうかが制御指令作成手段９によって判断される（例えば、出勤時運転指令の場合だと、判断するときの時刻が８時００分から１０時００分であるかどうかが判断される）（ステップＳ４３）。そして、記憶されていた運行制御指令が有効期間内であるときは、記憶されていた運行制御指令に基づき運行制御手段１０がかご１の運行制御を行う（ステップＳ４４）。また、用いられていた運行制御指令が有効期間を過ぎたときには、実施の形態２と同様に記憶されていた運行制御指令が無効にされ、操作装置１１の操作のみに基づいて運行制御手段１０がかご１の運行制御を行う（ステップＳ２２）。そして、制御指令作成手段９は上述の動作を繰り返し行う。
【００４３】
このような監視制御システム２では、実施の形態２の発明の効果に加えて、制御指令毎に有効期間を設定できるので、制御指令に応じて故障時間の制御ができるようになり、さらにより運行効率の良いサービスを提供することができる。
【００４４】
なお、実施の形態４において、有効期間付運行制御指令が有効期間を過ぎたとき、記憶されていた運行制御指令が無効にされ、操作装置１１の操作のみに基づいて運行制御手段１０がかご１の運行を制御したが、制御情報記憶手段８に記憶されている別の有効期間付運行制御指令を検索し、そのときの時刻に対応した有効期間付運行制御指令に基づいて運行制御手段１０がかご１の運行制御を行ってもよい。
【００４５】
また、実施の形態４において、監視制御装置３から運行制御装置４に対して有効期間付運行制御指令（例えば、出勤時運転指令：８時００分から１０時００分）が入力され、制御指令作成手段９が時計１２を用いることによって、時刻が監視されていた。ここで、有効期間付運行制御指令を例えば、出勤時運転指令の有効期間は２時間と設定し、制御指令作成手段９が時計１２を用いることによって、時間を監視してもよい。
【００４６】
さらに、実施の形態１乃至実施の形態４において、監視制御装置３は、運行制御装置４に対して動作信号を一定周期毎に発していたが、Ｈレベルを示す連続的な動作信号を発し、動作信号が途切れたときに、信号監視手段が無入力検出信号を発してもよい。
【００４７】
さらにまた、実施の形態１乃至実施の形態４において、監視制御装置３は、運行制御装置４に対して動作信号と運行制御指令とを出力し、運行制御指令は、かご１の運行制御を変更するときに発せられていたが、常に運行制御指令を発してもよく、この場合、動作信号のとして運行制御指令を用いてもよい。即ち、運行制御指令が動作信号を兼ねてもよい。
【図面の簡単な説明】
【００４８】
【図１】この発明の実施の形態１による監視制御システムを示すブロック図である。
【図２】図１の制御指令作成手段の動作を示すフローチャートである。
【図３】この発明の実施の形態２による監視制御システムを示すブロック図である。
【図４】実施の形態２における図３の制御指令作成手段の動作を示すフローチャートである。
【図５】実施の形態３における図３の制御指令作成手段の動作を示すフローチャートである。
【図６】実施の形態４における図３の制御指令作成手段の動作を示すフローチャートである。
【符号の説明】
【００４９】
１  かご、２  監視制御システム、３  監視制御装置、４  運行制御装置、５  監視制御手段、７  信号監視手段、８  制御情報記憶手段、１０  運行制御手段、１１  操作装置。
【図１】
2006021907.tif 000003
【図２】
2006021907.tif 000004
【図３】
2006021907.tif 000005
【図４】
2006021907.tif 000006
【図５】
2006021907.tif 000007
【図６】
2006021907.tif 000008